(57)【特許請求の範囲】
【請求項１】
額縁状に形成された本体にその両側縁部から中央部に向かって緩やかに前方へ隆起する隆起面を形成すると共に、該本体の上辺中央部に切欠を形成し、前記隆起面をその幅を狭くして前記切欠にまで延伸させ、該本体の前面に適宜隙間を隔てて枠状体を設けることによりポケット状のカード収容部を形成し、該収容部に差し込まれたカードの両側縁が該枠状体の両側縁部により位置規制されることにより該カードが前記隆起面と面接触し前方に弓なりに反って収容されるようにしたことを特徴とするカード差し。
【請求項２】
額縁状に形成された本体にその両側縁部から中央部に向かって緩やかに前方へ隆起する隆起面を形成すると共に、該本体の上辺中央部に切欠を形成し、前記隆起面をその幅を狭くして前記切欠にまで延伸させ、該本体の前面に適宜隙間を隔てて枠状体を設けることによりポケット状のカード収容部を形成し、該収容部に差し込まれたカードの両側縁を位置規制する突条を該枠状体の両側縁部に形成し、該突条により位置規制されることにより該カードが前記隆起面と面接触し前方に弓なりに反って収容されるようにしたことを特徴とするカード差し。
【発明の詳細な説明】
【技術分野】
【０００１】
本発明は、名称や属性，ロット番号，バーコード等が表示されたカードを運搬用容器に着脱可能に設けるためのカード差しに関するものである。
【背景技術】
【０００２】
内容物の名称や属性，ロット番号，バーコード等が表示されたカードを運搬用容器に保持させるために該容器の側壁外面に設けられるカード差しは、従来から種々の形態のものが知られており、例えば下記特許文献１に示されたものは、略四角形のベース板の四辺に前方に突き出る規制片が設けられ、該規制片によってカードが囲われるようにすることにより、輸送時の振動等によりカードが脱落することのないようにしたものである。なお、図９はその使用状態を示す縦断面図で、ａ１〜ａ３は夫々下辺、側辺、上辺に設けられた規制片、ｃはカードを示す。
【０００３】
また、本特許出願人の特許出願に係る下記特許文献２の図３に示されたカード差しは、この出願の図１０にその水平断面図を示すように、容器の側壁外面に押さえリブｂ１，ｂ２を縦筋状に２本平行に形成し、カードｃの両側縁を水平断面鉤状に形成された支持部材ｄ１，ｄ２に保持させることにより、該カードが該押さえリブｂ１，ｂ２によって前方に押圧されることから前方に弓なりに反って保持されるようにしている。
【特許文献１】実公平４−５５３５４号公報
【特許文献２】特許第３７０７９７２号公報
【発明の開示】
【発明が解決しようとする課題】
【０００４】
しかしながら、特許文献１に示されたような従来のポケット形のカード差しは、カードｃが曲がっていたり剛性が弱いとバーコード等が読み取り難くなると共に、図９に示したように、カードｃの上縁が開口部ｅに臨んだ状態となり、該カードｃが風や振動によって開口部ｅから飛び出してしまうおそれがあった。
【０００５】
また、カードが挿入された状態の容器を自動洗浄機に挿入しノズルから噴出する洗浄水が吹き付けられることにより該容器を洗浄することがあるが、特許文献２に示されたようなカード差しでは、そのような洗浄時にカードｃに洗浄水の水圧または風圧等の外的要因により図１０に矢印で示したような力が掛かると、該カードｃが変形し、弓なりに反った状態を保つことができなくなるので、該カードｃの両側縁が支持部材ｄ１，ｄ２から外れて脱落するおそれがあった。
【課題を解決するための手段】
【０００６】
本発明は上記のような課題を解決しようとするもので、請求項１に記載したカード差しは、額縁状に形成された本体にその両側縁部から中央部に向かって緩やかに前方へ隆起する隆起面を形成すると共に、該本体の上辺中央部に切欠を形成し、前記隆起面をその幅を狭くして前記切欠にまで延伸させ、該本体の前面に適宜隙間を隔てて枠状体を設けることによりポケット状のカード収容部を形成し、該収容部に差し込まれたカードの両側縁が該枠状体の両側縁部により位置規制されることにより該カードが前記隆起面と面接触し前方に弓なりに反って収容されるようにしたことを特徴とする。
また請求項２に記載したカード差しは、額縁状に形成された本体にその両側縁部から中央部に向かって緩やかに前方へ隆起する隆起面を形成すると共に、該本体の上辺中央部に切欠を形成し、前記隆起面をその幅を狭くして前記切欠にまで延伸させ、該本体の前面に適宜隙間を隔てて枠状体を設けることによりポケット状のカード収容部を形成し、該収容部に差し込まれたカードの両側縁を位置規制する突条を該枠状体の両側縁部に形成し、該突条により位置規制されることにより該カードが前記隆起面と面接触し前方に弓なりに反って収容されるようにしたことを特徴とする。
【発明の効果】
【０００８】
請求項１または２に記載したカード差しでは、種々の外的要因によってカードが脱落するおそれをなくすことができると共に、カードの差し込み及び抜き出しを容易にする。
【発明を実施するための最良の形態】
【００１０】
次に図面に従い本発明の実施の形態を説明する。図１は本発明に係るカード差しの未組立時（成形時）の斜視図、図２はその裏面の斜視図、図３は組立途中の斜視図、図４は組立後の斜視図、図５はその裏面の斜視図、図６はその縦断面図、図７は水平断面図である。このカード差しは、図１，図２に示されるように、ポリプロピレン等の弾性プラスチックを射出成形することにより本体１の下辺部に肉薄の折曲ライン２を介して枠状体３を一体に成形したものである。
【００１１】
本体１は、厚さ２ｍｍ程度の略方形の板状体４の四隅に取付孔５が開設され、該板状体４の上辺中央部に切欠６が形成され、略下半部中央には透孔７が形成され、該板状体４の両側縁部から中央部に向かって緩やかに前方へ隆起するように斜面８に続く隆起面９が形成されている。なお、斜面８および隆起面９はその幅ｈ１を狭くして上方の切欠６にまで延伸している。また、本体１の上辺に起立壁１０ａ、両側辺に起立壁１０ｂ、下辺に起立壁１０ｃを一体に成形することにより該本体１を額縁状に形成している。なお、起立壁１０ａは前記切欠６によって真中が不連続状に形成され、起立壁１０ｃは前記透孔７によって同じく不連続状に形成されている。また、両起立壁１０ｂには切込１１が形成され該切込中に外方に突出する爪状の第１の係合部１２が形成されている。また、隆起面９の裏側には図２に示されるように窪状に形成した第２の係合部１３が形成されている。
【００１２】
一方、枠状体３は、透窓３０を有する厚さ２ｍｍ程度の略方形板状のもので、組立時に前記取付孔５が隠れないような形態に形成され、その幅ｈ２は本体１の起立壁１０ｂ，１０ｂ間に収まり得るように形成される。そして、該枠状体３の上辺（図１では下辺）には前方（図１では後方）傾斜状の案内片３１が一体に形成されている。３２は組立時に前記起立壁１０ｃと連なるように該枠状体３の下辺（図１では上縁）に形成された起立壁である。３３は該枠状体３の両側縁部内面に形成された突条である。また、該両側縁部に外方に突出する耳片３４が形成され、該耳片に前記係合部１２が係合し得る長孔状の第１の係合部３５が形成されている。なお、耳片３４の表面には組立時に指の滑止となる凹凸３７が形成されている。また、３８は該起立壁３１から透窓３０内に突出するように形成された板状の弾性片で、該弾性片の先端に前記第２の係合部１３に係合し得る爪状の第２の係合部３９が形成されている。４０は該係合部３９の弾性を増すために該弾性片に横断状に形成された溝である。また。４１は弾性片３８の一方の面に肉盗のために形成された窪みである。
【００１３】
このため、図３に示したように、枠状体３を前記折曲ライン２から前上方に折り曲げ、その第１の係合部１２に第１の係合部３５を係合させると共に、弾性片３８を弾性変形させて透孔７より本体１の裏側に押し込む。その際、前記窪み４１に指を当てて弾性片３８を押し込むことにより押さえ易くなり組立の作業性が向上する。そして、該弾性片３８の弾性復元力で第２の係合部３９を第２の係合部１３に係合させることにより、図４〜図７に示されるように、本体１の前面に該枠状体３が適宜隙間を隔てて設けられ、ポケット状のカード収容部４２が形成され、該収容部の開口部４３よりカード４４を差し込むことが出来る。このとき、本体１の中央には前方へ隆起する隆起面９が形成され、枠状体３の両側縁には突条３３が形成されていることから、該収容部４２に差し込まれたカード４４の両側縁が該突条３３により位置規制されることにより該カードが隆起面９と面接触し前方に弓なりに反って収容される。なお、隆起面９の隆起量と突条３３の突出量は適宜定めることができるが、ここではカード４４を反らせることとなる前後方向のズレ（図７に示す寸法ｇ）が２ｍｍに設定されている。
【００１４】
このカード差しは、図８に示したように、容器５０の側壁外面に突設されたボス５１を取付孔５に貫通し該ボスの先端を熱溶融させることにより固着され、そのカード差し中にカード４４を差し込んだ状態で運搬され、振動、風圧等を受けることとなるが、該カード４４は前方に弓なりに反って収容部４２に収容されることから、剛性が弱くても座屈することなく常に起立状態が保たれる。このため、バーコード等も失敗なく常にスムースに読み取られるようになると共に、カード４４が開口部４３より外に飛び出してしまうおそれが少ない。
【００１５】
また、該カード４４は背面が隆起面９と面接触した状態であるので、例えば洗浄機のノズルから噴出する洗浄水が該カード４４に吹き付けられたとしてもカード４４は該隆起面９によってバックアップされ、このような弓なりに反った状態が保たれるので、該カードの両側縁が枠状体３の両側縁から外れ脱落するようなおそれも少ない。
【００１６】
また、本体１の上辺中央部に切欠６が形成されていると共に、隆起面９はその幅ｈ１を狭くして該切欠６にまで延伸しているので、カード４４を差し込むに際し該カードを自然と前方に反らせると共に、カード４４を抜き取るに際し該切欠６中に指が入るのでカードの上縁をつかみ易くする利点がある。なお、案内片３１は組立時に前方傾斜状になることからカード４４の抜き差しを容易にする。
【００１７】
この実施形態では枠状体３の両側縁にカード４４の両側縁を位置規制する突条３３を形成したが、枠状体３の両側縁の内面によりカード４４の両側縁が直接に位置規制されるようにすれば、必ずしも突条３３は形成しなくてもよい。このように本発明はこの実施形態に示した形状に限定されることなく、種々の変更が可能である。例えば、本体１と枠状体３とを係合する第１と第２の係合部はこの実施形態に示したものの他、係合手段として種々の形態を考え得る。また、このカード差しを容器５０に取り付ける手段についても同様に種々の形態が考えられる。さらに、この実施形態では本体１と枠状体３とを係合させることでカード収容部４２が形成されるようにしたが、このような組立構造を採ることなく、本体１と枠状体３とを元より一体に成形することも可能である。
【図面の簡単な説明】
【００１８】
【図１】本発明の実施形態を示すカード差しの未組立時の斜視図。
【図２】図１のカード差しの裏面の斜視図。
【図３】図１のカード差しの組立途中の斜視図。
【図４】本発明の実施形態を示すカード差しの斜視図。
【図５】図４のカード差しの裏面の斜視図。
【図６】図４のカード差しの縦断面図。
【図７】図４のカード差しの水平断面図。
【図８】図４のカード差しの使用状態を示す斜視図。
【図９】従来例を示すカード差しの縦断面図。
【図１０】従来例を示すカード差しの水平断面図。
【符号の説明】
【００１９】
１                        本体
２                        折曲ライン
３                        枠状体
５                        取付孔
６                        切欠
７                        透孔
８                        斜面
９                        隆起面
１０ａ，１０ｂ，１０ｃ    起立壁
１２，３５                第１の係合部
１３，３９                第２の係合部
３０                      透窓
３３                      突条
３８                      弾性片
４２                      カード収容部
４３                      開口部
４４                      カード
【図１】
0004703357.tif 000002
【図２】
0004703357.tif 000003
【図３】
0004703357.tif 000004
【図４】
0004703357.tif 000005
【図５】
0004703357.tif 000006
【図６】
0004703357.tif 000007
【図７】
0004703357.tif 000008
【図８】
0004703357.tif 000009
【図９】
0004703357.tif 000010
【図１０】
0004703357.tif 000011